(57)【要約】  【課題】住宅などの建築物の窓に設けられる、省スペースで極めて高い断熱効果を発揮する断熱シャッターを提供する。  【解決手段】断熱シャッターを構成するスラット１０７は、断熱性を有する枠材１１１の切り欠き部において面材１１０と真空断熱材１１２を支持する。また、真空断熱材１１２の外周のヒレ状の溶着部のうち枠材１１１側の溶着部は芯材に沿うように折り曲げた状態でスラット１０７の枠材１１１の切り欠き部に挿入する。更に、断熱シャッターを閉めた時は、スラット１０７が傾動し隣接するスラット１０７同士が略連結する。このとき、スラット１０７端部に設けた枠材１１１同士が当接する。また、スラット１０７の面材１１０の断面形状に沿うように真空断熱材１１２を折り曲げ、該折り曲げ部に位置する芯材の厚みを他の部分より厚みの薄い薄肉部とする。【選択図】図１
2007077790.tif 000002
【特許請求の範囲】
【請求項１】
面材と、前記面材端部に設けられた断熱性を有する枠材と、前記面材の室内側に配設された真空断熱材とから成る複数のスラットにより構成された、建築物の窓に設けるシャッターであって、各前記スラットに設けた前記真空断熱材が前記枠材により支持されることを特徴とする断熱シャッター。
【請求項２】
真空断熱材は、スラットの面材の断面形状に沿うように折り曲げられており、前記折り曲げ部に位置する前記芯材の厚みが他の部分に位置する前記芯材の厚みよりも薄くなっていることを特徴とする請求項１に記載の断熱シャッター。
【請求項３】
真空断熱材は、複数の芯材を有し、複数の前記芯材のそれぞれが互いに独立した空間に位置するよう隣接する前記芯材と前記芯材との間の対向するラミネートフィルム同士が熱溶着されているものであって、前記芯材と前記芯材との間の対向する前記ラミネートフィルムの間に前記芯材が存在せず前記ラミネートフィルム同士が熱溶着されている部分で、スラットの面材の断面形状に沿うように折り曲げられていることを特徴とする請求項１に記載の断熱シャッター。
【請求項４】
真空断熱材は、外周のヒレ状の溶着部のうち少なくとも対向する二辺の前記溶着部が芯材に沿うように折り曲げられた状態で、スラットの枠材に挿入されていることを特徴とする請求項２または請求項３に記載の断熱シャッター。
【請求項５】
シャッターを閉めた時は、スラットを略連結し隣接する前記スラット端部に設けた枠材同士が当接することを特徴とする請求項４に記載の断熱シャッター。
【請求項６】
真空断熱材の室内側面に枠材と一体成形された保護部材を設けたことを特徴とする請求項４または請求項５に記載の断熱シャッター。
【請求項７】
枠材が面材を兼ねており、射出成形により前記枠材と真空断熱材とが一体化していることを特徴とする請求項１から請求項６の何れか一項に記載の断熱シャッター。
【請求項８】
真空断熱材が耐熱性シートに覆われていることを特徴とする請求項７に記載の断熱シャッター。
【請求項９】
各スラットは複数のスラット片から構成されており、射出成形された複数のスラット片を長手方向に連結することにより各スラットを構成することを特徴とする請求項７または請求項８に記載の断熱シャッター。
【発明の詳細な説明】
【技術分野】
【０００１】
本発明は、住宅などの建築物の窓において、開閉機能を備え、開時には採光や通風機能を備え、閉時には遮光に加え断熱効果を発揮する断熱シャッターに関するものである。
【背景技術】
【０００２】
住宅など建築物の窓は、採光や通風機能が必要である反面、遮光や断熱、更には防音や防犯といった様々な機能が求められる。しかしながら、これらの機能を全て満足するような部材はなく、例えば断熱効果のあるガラス障子と、遮光効果のあるブラインドと、更にその外側に、開閉可能な障子を設ける方法により、多機能なサッシを提供しているものがある（例えば、特許文献１参照）。
【０００３】
また、特にシャッターに関して言えば、遮光や防犯といった機能は備えているものの、断熱機能を備えたシャッターも提案されているが、その効果は、ほとんど期待できないものであった（例えば、特許文献２参照）。
【０００４】
図１０は、特許文献１に記載された従来の多機能サッシを示すものである。
【０００５】
図１０に示すように、多機能サッシ１は、室内側に設けられたガラス障子２と、ガラス障子２の室外側に設けられたブラインド３と、更にその室外側に設けられた室外側障子４から構成される。
【０００６】
以上のように構成された多機能サッシ１について、以下その作用を説明する。
【０００７】
ガラス障子２と、ブラインド３と、室外側障子４を全て開けることにより、採光と通風効果を得ることが出来る。一方、ガラス障子２と、ブラインド３と、室外側障子４を全て閉じることにより、遮光や断熱効果を得ることが出来る。
【０００８】
そして、特に夏場の様に日射量が多い場合には、ガラス障子２と、ブラインド３を閉じた状態で、室外側障子４を開けることにより、ガラス障子２と室外側障子４の間の空間にこもる熱気を屋外に逃がすことが出来るため、更に断熱性能を増すことが出来る。また、ブラインド３は、室外側障子４の内側にあるため、強風にあおられることもない。
【０００９】
図１１は、特許文献２に記載された従来の断熱シャッターを示すものである。
【００１０】
図１１に示すように、断熱シャッター５は、窓枠６の外側に設置した木質材料や木質複合材料を接合した金属板からなる複数のスラット７と、スラット７を保持する保持部材８と、保持部材８の巻き取り装置９などにより構成されている。
【００１１】
以上のように構成された断熱シャッター５について、以下その作用を説明する。
【００１２】
遮光や断熱効果を得る場合には、巻き取り装置９に巻かれたコード等からなる保持部材８を巻き戻してスラット７を下方に移動させ、落とし込みあるいは回転（傾動）によりスラット７を閉状態にする。一方、採光や通風効果を得る場合には、スラット７を傾動させその角度を調節する、あるいは巻き取り装置９により保持部材８を巻き上げて、スラット７を上方へ移動させ収納する。
【特許文献１】特開２００１−２１４６７０号公報
【特許文献２】特開２００２−１９４９６７号公報
【発明の開示】
【発明が解決しようとする課題】
【００１３】
しかしながら、特許文献１の構成では、室外側障子４には、ほとんど断熱効果がなく、ガラス障子２と室外側障子４の間に形成される空間の空気断熱により断熱効果を得ている。そのため、室外側障子４を開放すると、断熱効果は激減し、ブラインド３の遮光効果とガラス障子２のわずかな断熱効果を期待できる程度である。
【００１４】
この断熱効果は、ウレタンフォームなどの断熱材を用いた壁断熱の断熱効果とは、けた違いに断熱性能が劣るため、住宅への熱侵入の４０％以上を占めると言われる開口部からの熱侵入を抑える効果は極めて低い。ガラス障子２としてペアガラスを用いた場合でも、本傾向は、それほど変わるものではない。
【００１５】
また、室外側障子４を含め、ガラス障子２と、ブラインド３を閉じた状態では、ある程度断熱効果を得ることは出来ると考えられるが、様々な状況に応じて、いくつもの開閉操作を強いられるため使い勝手が悪いと考えられる。
【００１６】
一方、特許文献２の構成では、スラット７を構成する断熱材として木質材料や木質複合材料の適用が提案されているが、断熱性能に乏しく、また、その構成についても全く言及されていないため、現実的な方法であるとは言いがたい。
【００１７】
本発明は、上記従来の課題を解決するもので、省スペースで極めて高い断熱効果を発揮する断熱シャッターを提供するものである。
【課題を解決するための手段】
【００１８】
上記目的を達成するために、本発明の断熱シャッターは、面材と、前記面材端部に設けられた断熱性を有する枠材と、前記面材の室内側に配設された真空断熱材とから成る複数のスラットにより構成された、建築物の窓に設けるシャッターであって、各前記スラットに設けた前記真空断熱材が前記枠材により支持されることを特徴とするものである。
【００１９】
これによって、面材の面から入る熱侵入は真空断熱材で遮断すると共に、面材端部からの熱侵入は枠材と真空断熱材で抑えることができるため、開口部の最も外側に位置するシャッターの面材のすぐ内側で断熱効果を発揮し、ガラス障子との間の空間を室内空間の温度に近い状態に維持することが出来る。
【００２０】
ここで、真空断熱材は、ウレタンフォームなどの一般的な断熱材と比較しても４から５倍の高い断熱性能を有するために、わずか数ｍｍ程度の厚みという省スペースで高い断熱効果を発揮することが出来る。
【発明の効果】
【００２１】
本発明の断熱シャッターは、住宅など建築物の窓から室内へ侵入する熱を大幅に削減できるため、冷房や暖房の省エネルギー化を図ることができる。
【００２２】
また、断熱シャッターとガラス障子の間の空間は、室内温度に近い状態となるため、夏場には開口部付近の輻射熱の侵入を抑制し、冬場には冷輻射やコールドドラフトを抑制することにより、室内の快適空間をより開口部側まで広げることができるという効果がある。
【００２３】
また、冬場にガラス障子の内側に発生する結露を抑制する作用もあり、カビの発生なども抑制する効果がある。
【００２４】
更に、真空断熱材は数ｍｍ程度の厚みでも高い断熱性能を有するため、断熱機能を付与するための設計変更は部分的なものであり、一般的なシャッターの設計を大幅に変更することがない。また、シャッターとガラス障子のみのシンプルな構成で断熱機能を付与できるため、開閉時の操作感を損なうこともない。
【発明を実施するための最良の形態】
【００２５】
本発明の請求項１に記載の断熱シャッターの発明は、面材と、前記面材端部に設けられた断熱性を有する枠材と、前記面材の室内側に配設された真空断熱材とから成る複数のスラットにより構成された、建築物の窓に設けるシャッターであって、各前記スラットに設けた前記真空断熱材が前記枠材により支持されることを特徴とするものであり、両面テープや接着剤といった特別な部材を用いることなく、真空断熱材を面材に確実に支持することとなり、部品点数を最小限に抑え、合理的な方法でシャッターに断熱機能を付与することができる。
【００２６】
また、真空断熱材は、ウレタンフォームの４倍から５倍という高い断熱性能を有するため、わずかな厚みで確実な断熱機能を発揮することとなり、シャッターを構成するための設計スペースを変更することなく、部材の部分的な設計変更により高い断熱性能を得ることができる。
【００２７】
請求項２に記載の断熱シャッターの発明は、請求項１に記載の発明における真空断熱材が、スラットの面材の断面形状に沿うように折り曲げられており、前記折り曲げ部に位置する前記芯材の厚みが他の部分に位置する前記芯材の厚みよりも薄くなっていることを特徴とするものであり、スラットの断面形状に沿うように真空断熱材を容易に折り曲げることが可能になると共に、折り曲げによってラミネートフィルムにかかる過剰な応力を抑えることとなり、形状適合性を高めると共に長期信頼性を確保することができる。
【００２８】
請求項３に記載の断熱シャッターの発明は、請求項１に記載の発明における真空断熱材が、複数の芯材を有し、複数の前記芯材のそれぞれが互いに独立した空間に位置するよう隣接する前記芯材と前記芯材との間の対向するラミネートフィルム同士が熱溶着されているものであって、前記芯材と前記芯材との間の対向する前記ラミネートフィルムの間に前記芯材が存在せず前記ラミネートフィルム同士が熱溶着されている部分で、スラットの面材の断面形状に沿うように折り曲げられていることを特徴とするものであり、スラットの断面形状に沿うように真空断熱材を容易に折り曲げることが可能になると共に、折り曲げ部に芯材が存在しないため、ラミネートフィルムに余計な応力が発生しないこととなり、形状適合性を高めると共に長期信頼性を更に確保することができる。
【００２９】
また、各芯材が独立していることにより、万が一、一つの芯材部が破袋しても他の芯材部に影響がなく、全体の断熱性能の低下を抑えることができる。
【００３０】
請求項４に記載の断熱シャッターの発明は、請求項２または請求項３に記載の発明における真空断熱材が、外周のヒレ状の溶着部のうち少なくとも対向する二辺の前記溶着部が芯材に沿うように折り曲げられた状態で、スラットの枠材に挿入されていることを特徴とするものであり、真空断熱材の周囲のヒレ状の溶着部をあらかじめ芯材に沿って折り曲げ仮止めしておく必要がないため、真空断熱材を枠材に組み付ける工程を無くすことができ、断熱シャッターを安価に製造することができる。
【００３１】
請求項５に記載の断熱シャッターの発明は、請求項４に記載の発明において、シャッターを閉めた時は、スラットを略連結し隣接する前記スラット端部に設けた枠材同士が当接することを特徴とするものであり、スラットの面材を伝導してシャッターの室内側空間に外気の温度が伝わることを抑制することとなり、真空断熱材本来の断熱性能を効率よく引き出し高い断熱性能を発揮することができる。
【００３２】
請求項６に記載の断熱シャッターの発明は、請求項４または請求項５に記載の発明に加えて、真空断熱材の室内側面に枠材と一体成形された保護部材を設けたことを特徴とするものであり、真空断熱材を一体化された枠材に固定した後に面材を組み付けることとなり、スラットの組付けを容易に行うことができる。
【００３３】
また、真空断熱材の室内側面が保護部材に覆われているため、室内側から不用意に真空断熱材に触れて破袋を招く心配がなく、かつ室内側から見たときに直接真空断熱材が見えないこととなり、見た目にも洗練された仕様にまとめることができる。
【００３４】
請求項７に記載の断熱シャッターの発明は、請求項１から請求項６の何れか一項に記載の発明に加えて、枠材が面材を兼ねるように構成し、射出成形により前記枠材と真空断熱材とを一体化させたものであり、真空断熱材の周囲に枠材材料を薄く均質に設けることが出来るため、スラット全体の面積に対する真空断熱材の面積を大きく確保できることとなり、真空断熱材本来の断熱性能を最大限発揮できる。
【００３５】
なお、面材を兼ねる枠材と真空断熱材とを射出成形により一体化させるには、予め真空断熱材を金型内部に配設した上で射出成形機を用いて枠材材料を金型内部に射出すればよい。
【００３６】
請求項８に記載の断熱シャッターの発明は、請求項７に記載の発明に加えて、真空断熱材が耐熱性シートに覆われているものであり、射出成形される高温の枠材材料から真空断熱材のガスバリア性フィルムを保護することとなり、真空断熱材のガスバリア性を損なうことなく成形することができる。
【００３７】
請求項９に記載の断熱シャッターの発明は、請求項７または請求項８に記載の発明に加えて、各スラットは複数のスラット片から構成されており、射出成形された複数のスラット片を長手方向に連結することにより各スラットを構成するものであり、比較的小型の射出成形金型によりスラット片を形成し、かつ各々のスラット片を連結することにより建築物の開口部の幅に応じて任意にスラットを形成することとなり、開口部仕様に応じて断熱性の高いシャッターをより安価に提供することができる。
【００３８】
以下、本発明の断熱シャッターの実施の形態について、図面を参照しながら説明する。なお、この実施の形態によって、この発明が限定されるものではない。
【００３９】
（実施の形態１）
図１は、本発明の実施の形態１における断熱シャッターの断面図である。図２は、同実施の形態の断熱シャッターにおけるスラットの断面図である。図３は、同実施の形態の断熱シャッターに用いる真空断熱材の断面図である。図４は、図２に示す同実施の形態の断熱シャッターにおけるスラット端部Ａの拡大断面図である。
【００４０】
まず、断熱シャッター１０５の構成について述べる。断熱シャッター１０５は、窓枠１０６の外側に設置されており、複数のスラット１０７と、巻き取り装置１０９と、スラット１０７と巻き取り装置１０９を繋ぎスラット１０７の傾動や昇降を操る保持部材１０８とにより構成されている。更に、スラット１０７は、アルミニウムなどの金属製の面材１１０と、樹脂やゴム製の材質からなり断熱性を有する枠材１１１と、真空断熱材１１２から構成されている。
【００４１】
ここで、面材１１０を構成するアルミニウムの熱伝導率は２００Ｗ／ｍＫ程度であるのに対して、枠材１１１を構成する樹脂やゴムの断熱性能は０．２Ｗ／ｍＫ程度であるため、面材１１０に対して枠材１１１は高い断熱性能を有している。
【００４２】
一方、真空断熱材１１２は、粉体や発泡体或いは繊維から成る芯材１１３と、ガスバリア性のあるラミネートフィルム１１４から構成されており、芯材１１３は部分的に厚みが薄い薄肉部１１３ａが設けてあると共に、ラミネートフィルム１１４は、最外層の保護層と、その内側のアルミ箔やアルミ蒸着によるガスバリア層と、最内層の熱溶着層から構成されている（図示せず）。
【００４３】
ここで、真空断熱材１１２は、矩形型に予め裁断された２枚のラミネートフィルム１１４の周囲３辺を熱溶着し、袋状に成形されたラミネートフィルム１１４の間に芯材１１３を挿入し、ラミネートフィルム１１４の間の空間を真空排気すると共に袋状のラミネートフィルム１１４の残る１辺を熱溶着することにより製造する。
【００４４】
その結果、真空断熱材１１２の熱伝導率は０．００２〜０．００４Ｗ／ｍＫ程度の断熱性能を発揮し一般的な断熱材であるウレタンフォームの５〜１０倍という高い断熱性能を得ることが出来る。
【００４５】
次に、スラット１０７の組立て方法について述べる。面材１１０は、枠材１１１の切り欠き部１１１ａに面材１１０の端部が挿入挟持され、真空断熱材１１２は、枠材１１１の切り欠き部１１１ｂに挿入挟持されることによりスラット１０７が構成されている。
【００４６】
なお、真空断熱材１１２が切り欠き部１１１ｂに挿入されるとき、少なくとも枠材１１１に当接する真空断熱材１１２の端部に形成されているヒレ状の熱溶着部は芯材１１３に沿って面材１１０側に折り返されると共に、面材１１０の断面形状に沿って真空断熱材１１２の薄肉部１１３ａが折り曲げられている。
【００４７】
以上のように構成された断熱シャッターについて、以下にその作用と効果を説明する。
【００４８】
まず、本実施の形態の断熱シャッター１０５を構成するスラット１０７は、断熱性を有する枠材１１１の切り欠き部１１１ａにおいて金属製の面材１１０を支持すると共に、切り欠き部１１１ｂにおいて真空断熱材１１２を支持することにより、確実に面材１１０と真空断熱材１１２を支持することができるため、真空断熱材１１２を固定するための両面テープや接着剤といった特別な部材を用いる必要がなく、部品点数を最小限に抑え合理的な方法でシャッターに断熱機能を付与することができる。
【００４９】
また、真空断熱材１１２の外周のヒレ状の溶着部の少なくとも対向する二辺の溶着部を芯材１１３に沿うように折り曲げた状態でスラット１０７の枠材１１１の切り欠き部１１１ｂに挿入することにより、真空断熱材１１２の周囲に形成される溶着部をあらかじめ芯材１１３に沿って仮止めしておく必要がなく、真空断熱材１１２を枠材１１１に組み付ける工程をシンプルにでき、断熱シャッターを安価に製造することができる。
【００５０】
一方、真空断熱材１１２はウレタンフォームの５倍から１０倍という高い断熱性能を有するため、わずかな厚みで確実な断熱機能を発揮することとなり、シャッターを構成するための設計スペースを変更することなく、部材の部分的な設計変更により高い断熱性能を得ることができる。
【００５１】
具体的には、真空断熱材１１２の厚みは３〜５ｍｍ程度が好適と考えられ、３ｍｍの場合にはウレタンフォーム１５〜３０ｍｍに相当し、５ｍｍの場合にはウレタンフォーム２５〜５０ｍｍに相当する。ここで、住宅の壁断熱に用いられるウレタンボードの厚みは、およそ３０〜５０ｍｍ程度であることから考えられると、本実施の形態の断熱シャッター１０５にて壁断熱に近い断熱性能が得られると考えられる。
【００５２】
更に、断熱シャッター１０５を閉めた時は、スラット１０７が傾動し隣接するスラット１０７同士が略連結する。このとき、スラット１０７端部に設けた枠材１１１同士が当接することにより、スラット１０７の面材１１０を伝導してシャッター１０５の室内側空間に外気の温度が伝わることを抑制することとなり、真空断熱材１１２本来の断熱性能を引き出し高い断熱性能を発揮することができる。
【００５３】
なお、本実施の形態では枠材１１１同士が当接することとしたが、樹脂製の枠材１１１に設けたゴム製のヒレが他方のスラット１０７の枠材１１１に当接することにより、隣接するスラット同士の隙間をより確実にシールすることができ、真空断熱材１１２の性能を更に引き出すことができる。
【００５４】
また、スラット１０７の面材１１０の断面形状に沿うように真空断熱材１１２を折り曲げ、該折り曲げ部に位置する芯材１１３の厚みを他の部分より厚みの薄い薄肉部１１３ａとすることにより、スラット１０７の断面形状に沿うように真空断熱材１１２を容易に折り曲げることが可能になると共に、折り曲げによってラミネートフィルム１１４にかかる過剰な応力を抑えることとなり、真空断熱材１１２の形状適合性を高めると共に長期信頼性を確保することができる。
【００５５】
（実施の形態２）
図５は、本発明の実施の形態２の断熱シャッターにおけるスラットである。図６は、同実施の形態の断熱シャッターに用いる真空断熱材の断面図である。図７は、図５に示す同実施の形態の断熱シャッターにおけるスラット端部Ｂの拡大断面図である。ここで、実施の形態１と同様の部分については説明を省略する。
【００５６】
断熱シャッター２０５を構成する複数のスラット２０７は、アルミニウムなどの金属製の面材２１０と、樹脂やゴム製の材質からなり断熱性を有する枠材２１１と、真空断熱材２１２と、真空断熱材１１２を保護すると共に枠材２１１と一体化された保護部材２１５から構成されている。
【００５７】
ここで、保護部材２１５は枠材２１１と同様に断熱性を有する材質で構成されており、真空断熱材２１２は、面材２１０と、保護部材２１４と一体化した枠材２１１との間に挟持されている。
【００５８】
また、真空断熱材２１２は、粉体や発泡体或いは繊維から成る複数の独立した芯材２１３と、ガスバリア性のあるラミネートフィルム２１４から構成されており、複数の芯材２１３のそれぞれが互いに独立した空間に位置するよう隣接する芯材２１３と芯材２１３との間の対向するラミネートフィルム２１４同士が熱溶着されている。
【００５９】
ここで、真空断熱材２１２は、ラミネートフィルム２１４の間に複数の独立した芯材２１３を配置した状態で真空排気し、各々の芯材２１３周囲に位置するラミネートフィルム２１４部および芯材２１３部を含めた全面を熱溶着することにより製造されたものである。
【００６０】
そして、真空断熱材２１２は、芯材２１３と芯材２１３との間の対向するラミネートフィルム２１４の間に芯材２１３が存在せずラミネートフィルム２１４同士が熱溶着されている部分で、スラット２０７の面材２１０の断面形状に沿うように折り曲げられている。
【００６１】
以上のように構成された断熱シャッターについて、以下にその動作、作用を説明する。
【００６２】
本発明の実施の形態では、真空断熱材２１２が、複数の芯材２１３を有し、複数の芯材２１３のそれぞれが互いに独立した空間に位置するよう隣接する芯材２１３と芯材２１３との間の対向するラミネートフィルム２１４同士が熱溶着されているものであって、芯材２１３と芯材２１３との間の対向するラミネートフィルム２１４の間に芯材２１３が存在せずラミネートフィルム２１４同士が熱溶着されている部分で、スラット２０７の面材２１０の断面形状に沿うように折り曲げられているため、スラット２０７の断面形状に沿うように真空断熱材２１２を容易に折り曲げることが可能になると共に、折り曲げ部に芯材２１３が存在しないためラミネートフィルム２１４に余計な応力が発生しないこととなり、形状適合性を高めると共に長期信頼性を更に確保することができる。
【００６３】
また、各芯材２１３が独立に真空度を保っているため、万が一、一つの芯材２１３部が破袋しても他の芯材２１３部に影響がなく、全体の断熱性能の低下を抑えることができ、長期信頼性を更に高めることができる。
【００６４】
一方、真空断熱材２１２の室内側面に枠材２１１と一体成形された保護部材２１５を設けたことにより、真空断熱材２１２を一体化された枠材２１１に固定した後に面材２１０を組み付けることとなり、スラット２０７の組付けを容易に行うことができる。
【００６５】
また、真空断熱材２１２の室内側面が保護部材２１５に覆われているため、室内側から不用意に真空断熱材２１２に触れて破袋を招く心配がなく、かつ室内側から見たときに直接真空断熱材２１２が見えないため、見た目にも洗練された仕様にまとめることができる。
【００６６】
（実施の形態３）
図８は本発明の実施の形態３の断熱シャッターにおける真空断熱材と枠材を一体成形する射出成形機の断面図である。図９は同実施の形態の断熱シャッターにおける射出成形されたスラット片を連結して成るスラットの組立図である。ここで、実施の形態１および実施の形態２と同様の部分については説明を省略する。
【００６７】
発泡成形機３０１は、原料挿入部３０２と、溶融射出部３０３と、金型部３０４と、金型部の駆動や冷却温度などを制御する制御部３０５から構成されている。
【００６８】
以下、射出成形機３０１を用いたスラット片３０７ａのインモールド成形の方法について説明する。
【００６９】
まず、射出成形機３０１の金型部３０４内部の所定の位置に耐熱性シート３２０で覆われた真空断熱材３１２を配設する。一方、枠材３１１の原料となる例えばＡＢＳなどの樹脂ペレットを原料挿入部３０２に投入する。
【００７０】
投入した樹脂ペレットは、溶融射出部３０３にて約２５０℃以上の温度で溶融し、溶融射出部３０３に内蔵されたスクリュー３０６により押し出されて金型部３０４に射出され、枠材３１１と耐熱性シート３２０で覆われた真空断熱材３１２が一体成形されスラット片３０７ａが成形される。
【００７１】
ここで、金型部３０４はガスや液体による冷却構造を有しているため、金型部３０４に射出された枠材３１１の原料は一定温度に冷却される。この時、制御部３０５において原料の射出量や射出温度および金型部３０４の冷却温度などを調節することができる。
【００７２】
また、上述した成形方法により製造したスラット片３０７ａをスラット接続部３２１により連結することによりスラット３０７を構成する。
【００７３】
以上のように構成された断熱シャッターについて、以下にその動作、作用を説明する。
【００７４】
本実施の形態では、射出成形により溶融した枠材３１１の樹脂材料が真空断熱材３１２の周囲を流動し枠材３１１が形成されるが、真空断熱材３１２が断熱性シート３２０に覆われているため、真空断熱材３１２のガスバリア性フィルムの損傷が生じず確実にスラット片３０７ａを形成することが出来る。
【００７５】
また、薄い断熱性シート３２０に覆われた真空断熱材３１２の周囲において、枠材３１１をおよそ２〜３ｍｍ程度の薄さで均一に形成することが出来るため各スラット片３０７ａの面積に対する真空断熱材３１２の面積を大きく確保することが出来るため、各スラット片３０７ａの断熱性能を高くすることが出来る。
【００７６】
また、スラット片３０７ａをスラット接続部３２１にて接続することにより、建物の開口部の間口に合わせて任意にスラット３０７を形成することが出来る。この結果、比較的小型の射出成形金型を用いて安価に断熱シャッターを形成することが出来る。
【００７７】
さらに、スラット接続部３２１に吊り下げ部材（図示せず）を設けることにより、例えば間口幅が３６００ｍｍ以上の大開口に対してもスラット３０７の撓みを防止することができ、建物の開口部の断熱性能を大幅に向上することが出来る。
【産業上の利用可能性】
【００７８】
以上のように、本発明による断熱シャッターは、遮光効果だけでなく、住宅など建築物の外側で効果的な断熱効果を得ることができるため、スラットにより構成されるシャッターだけでなく、より一般的な引き違いタイプの雨戸であっても同構成が可能である。また、近年では、住宅に吹き抜けを設け大開口部を設ける例が多く見受けられるが、本発明の断熱シャッターにより、冬場の寒気や夏場の日射を効果的に遮断することができる。一方、車、電車、新幹線等のような乗り物の開口部断熱方法としても利用可能である。
【図面の簡単な説明】
【００７９】
【図１】本発明の実施の形態１における断熱シャッターの断面図
【図２】本発明の実施の形態１における断熱シャッターのスラットの断面図
【図３】本発明の実施の形態１における断熱シャッターに使用する真空断熱材の断面図
【図４】本発明の実施の形態１における断熱シャッターのスラット端部Ａの拡大断面図
【図５】本発明の実施の形態２における断熱シャッターのスラットの断面図
【図６】本発明の実施の形態２における断熱シャッターに使用する真空断熱材の断面図
【図７】本発明の実施の形態２における断熱シャッターのスラット端部Ｂの拡大断面図
【図８】本発明の実施の形態３における断熱シャッターのスラットの製造に用いる射出成形機の断面図
【図９】本発明の実施の形態３における断熱シャッターのスラットの斜視図
【図１０】従来の多機能サッシの断面図
【図１１】従来の断熱シャッターの断面図
【符号の説明】
【００８０】
１０５，２０５          断熱シャッター
１０７，２０７，３０７  スラット
１１０，２１０          面材
１１１，２１１，３１１  枠材
１１２，２１２，３１２  真空断熱材
１１３，２１３          芯材
１１３ａ                芯材の薄肉部
１１４，２１４          ラミネートフィルム
２１５                  保護部材
３０７ａ                スラット片
３２０                  耐熱シート
【図１】
2007077790.tif 000003
【図２】
2007077790.tif 000004
【図３】
2007077790.tif 000005
【図４】
2007077790.tif 000006
【図５】
2007077790.tif 000007
【図６】
2007077790.tif 000008
【図７】
2007077790.tif 000009
【図８】
2007077790.tif 000010
【図９】
2007077790.tif 000011
【図１０】
2007077790.tif 000012
【図１１】
2007077790.tif 000013